【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
可聴の低音に対応するオーディオ信号の低周波数部分の振幅を調節し、可聴の高音に対応するオーディオ信号の高周波数部分の振幅を反対方向で調節することによって等化されたオーディオ信号を生成する主等化装置と、
オーディオ信号のダイナミック範囲を圧縮することにより圧縮されたオーディオ信号を生成する圧縮装置と、
前記主等化装置と実質的に反対の効果を生成するミラー等化装置とを具備し、
前記低周波数部分の振幅の調節と前記高周波数部分の振幅の反対方向の調節とは、周波数のクロスオーバー範囲間で交差し、前記クロスオーバー範囲で実質的に無視できる程度の利得を生成し、前記オーディオ信号は圧縮装置のソース及び制御の両者として使用され、前記圧縮装置は前記オーディオ信号の高振幅部分を減衰させ、前記オーディオ信号の低振幅部分を増幅することによって前記オーディオ信号を圧縮するオーディオ信号の処理システム。
【請求項２】
前記クロスオーバー範囲は約６００Ｈｚ乃至約１，０００Ｈｚである請求項１記載のシステム。
【請求項３】
前記主等化装置と前記ミラー等化装置は、周波数の実質的に線形の関数にしたがって振幅を調節する請求項１記載のシステム。
【請求項４】
前記主等化装置は前記オーディオ信号の前記高周波数部分の振幅を調節するための少なくとも１つのフィルタを使用し、前記ミラー等化装置もまた前記オーディオ信号の前記高周波数部分に対して前記主等化装置と実質的に反対の効果を生成するための少なくとも１つのフィルタを使用し、前記両フィルタは前記オーディオ信号について実質的に大きさが等しく反対の効果を有している請求項１記載のシステム。
【請求項５】
前記主等化装置は前記オーディオ信号の前記低周波数部分の振幅を調節するための少なくとも１つのフィルタを使用し、前記ミラー等化装置もまた前記オーディオ信号の前記低周波数部分に対して前記主等化装置と実質的に反対の効果を生成するための少なくとも１つのフィルタを使用し、前記両フィルタは前記オーディオ信号について実質的に大きさが等しく反対の効果を有している請求項１記載のシステム。
【請求項６】
前記ミラー等化装置の前記出力信号に応答するスピーカシステムをさらに具備している請求項１記載のシステム。
【請求項７】
前記圧縮装置は前記オーディオ信号のダイナミック範囲を約１０ｄＢ未満に圧縮する請求項１記載のシステム。
【請求項８】
前記主等化装置は１００Ｈｚで約１０ｄＢ前記信号の前記低周波数部分の振幅を減少させる請求項１記載のシステム。
【請求項９】
前記主等化装置は８ｋＨｚで約８ｄＢ前記信号の前記高周波数部分の振幅を増加させる請求項１記載のシステム。
【請求項１０】
前記ミラー等化装置は１００Ｈｚで約１０ｄＢ前記信号の前記低周波数部分の振幅を増加させる請求項１記載のシステム。
【請求項１１】
前記ミラー等化装置は８ｋＨｚで約８ｄＢ前記信号の前記高周波数部分の振幅を減少させる請求項１記載のシステム。
【請求項１２】
前記主等化装置は１００Ｈｚで約１０ｄＢ前記信号の前記低周波数部分の振幅を増加させる請求項１記載のシステム。
【請求項１３】
前記主等化装置は８ｋＨｚで約８ｄＢ前記信号の前記高周波数部分の振幅を減少させる請求項１記載のシステム。
【請求項１４】
前記ミラー等化装置は１００Ｈｚで約１０ｄＢ前記信号の前記低周波数部分の振幅を減少させる請求項１記載のシステム。
【請求項１５】
前記ミラー等化装置は８ｋＨｚで約８ｄＢ前記信号の前記高周波数部分の振幅を増加させる請求項１記載のシステム。
【請求項１６】
可聴の低音に対応するオーディオ信号の低周波数部分の振幅を減少させて、可聴の高音に対応する前記オーディオ信号の高周波数部分の振幅を増加させることによって等化されたオーディオ信号を生成する主等化装置と、
前記オーディオ信号のダイナミック範囲を圧縮することにより圧縮されたオーディオ信号を生成する圧縮装置と、
前記主等化装置と実質的に反対の効果を生成するミラー等化装置とを具備し、
前記減少と前記増加は、周波数範囲間で交差し、前記範囲中では実質的に無視できる程度の利得を生成し、前記オーディオ信号は圧縮装置のソース及び制御の両者として使用され、前記圧縮装置は前記オーディオ信号の高振幅部分を減衰させ、前記オーディオ信号の低振幅部分を増幅することによって前記オーディオ信号を圧縮するオーディオ信号の処理システム。
【請求項１７】
可聴の低音に対応するオーディオ信号の低周波数部分の振幅を調節し、可聴の高音に対応する前記オーディオ信号の高周波数部分の振幅を反対方向に調節することによって等化されたオーディオ信号を生成する主等化装置と、
前記オーディオ信号のダイナミック範囲を圧縮することにより圧縮されたオーディオ信号を生成する圧縮装置と、
前記主等化装置と実質的に反対の効果を生成するミラー等化装置と、
予想される聴取環境に関連される音響提示信号の異常に対して関連付けられるように予め定められた周波数で前記信号の振幅を調節する最終等化装置とを具備し、
前記前記低周波数部分の振幅の調節と前記高周波数部分の振幅の反対方向の調節は、周波数範囲間で交差し、前記範囲中で実質的に無視できる程度の利得を生成し、前記オーディオ信号は圧縮装置のソース及び制御の両者として使用され、前記圧縮装置は前記オーディオ信号の高振幅部分を減衰させ、前記オーディオ信号の低振幅部分を増幅することによって前記オーディオ信号を圧縮するオーディオ信号の処理システム。
【請求項１８】
可聴の低音に対応するオーディオ信号の低周波数部分の振幅を減少させ、可聴の高音に対応する前記オーディオ信号の高周波数部分の振幅を増加することによって等化されたオーディオ信号を生成する主等化装置と、
前記オーディオ信号のダイナミック範囲を圧縮することにより圧縮されたオーディオ信号を生成する圧縮装置と、
前記主等化装置と実質的に反対の効果を生成するミラー等化装置と、
予想される聴取環境に関連される音響提示信号の異常に対して関連付けられるように予め定められた周波数で前記信号の振幅を調節する最終等化装置とを具備し、
前記減少と前記増加は、周波数範囲間で交差し、前記範囲中で実質的に無視できる程度の利得を生成し、前記オーディオ信号は圧縮装置のソース及び制御の両者として使用され、前記圧縮装置は前記オーディオ信号の高振幅部分を減衰させ、前記オーディオ信号の低振幅部分を増幅することによって前記オーディオ信号を圧縮するシステム。
【請求項１９】
可聴の低音に対応するオーディオ信号の低周波数部分の前記振幅を調節し、可聴の高音に対応する前記オーディオ信号の高周波数部分の振幅を反対方向で調節することによって前記オーディオ信号を等化し、前記低周波数部分の振幅の調節と前記高周波数部分の振幅の反対方向の調節は、周波数範囲間で交差し、前記範囲において実質的に無視できる程度の利得を生成し、
前記オーディオ信号のダイナミック範囲を圧縮し、
前記等化と実質的に反対の方法で前記オーディオ信号をミラー等化するステップを含んでおり、前記オーディオ信号の圧縮は前記オーディオ信号の高振幅部分を減衰させ、前記オーディオ信号の低振幅部分を増幅することによって行われるオーディオ信号の処理方法。
【請求項２０】
可聴の低音に対応するオーディオ信号の低周波数部分の前記振幅を調節し、可聴の高音に対応する前記オーディオ信号の高周波数部分の振幅を反対方向で調節することによって前記オーディオ信号を等化し、前記低周波数部分の振幅の調節と前記高周波数部分の振幅の反対方向の調節は、周波数範囲間で交差し、前記範囲で実質的に無視できる程度の利得を生成し、
前記オーディオ信号のダイナミック範囲を圧縮し、
前記等化と実質的に反対の方法で前記オーディオ信号をミラー等化し、
予想される聴取環境に関連される音響提示信号の異常に対して関連付けられるように予め定められた周波数で前記信号の振幅を調節するステップを含んでおり、前記前記オーディオ信号の圧縮は前記オーディオ信号の高振幅部分を減衰させ、前記オーディオ信号の低振幅部分を増幅することによって行われるオーディオ信号の処理方法。
【請求項２１】
可聴の低音に対応するオーディオ信号の低周波数部分の振幅を調節し、可聴の高音に対応する前記オーディオ信号の高周波数部分の振幅を反対方向で調節することによって等化されたオーディオ信号を生成する主等化装置と、
前記オーディオ信号のダイナミック範囲を圧縮することにより圧縮されたオーディオ信号を生成する圧縮装置と、
前記主等化装置と実質的に反対の効果を生成するミラー等化装置とを具備し、
前記低周波数部分の振幅の調節と前記高周波数部分の振幅の反対方向の調節は、周波数範囲間で交差し、前記範囲で実質的に無視できる程度の利得を生成し、前記オーディオ信号は圧縮装置のソース及び制御の両者として使用され、前記圧縮装置は前記オーディオ信号の高振幅部分を減衰させ、前記オーディオ信号の低振幅部分を増幅することによって前記オーディオ信号を圧縮するオーディオ信号の処理回路。
【請求項２２】
可聴の低音に対応するオーディオ信号の低周波数部分の振幅を調節し、可聴の高音に対応する前記オーディオ信号の高周波数部分の振幅を反対方向で調節することによって等化されたオーディオ信号を生成する主等化装置と、
前記オーディオ信号のダイナミック範囲を圧縮することにより圧縮されたオーディオ信号を生成する圧縮装置と、
前記主等化装置と実質的に反対の効果を生成するミラー等化装置と、
予想される聴取環境に関連される音響提示信号の異常に対して関連付けられるように予め定められた周波数で前記信号の振幅を調節する最終等化装置とを具備し、
前記低周波数部分の振幅の調節と前記高周波数部分の振幅の反対方向の調節は、周波数範囲間で交差し、前記範囲で実質的に無視できる程度の利得を生成し、前記オーディオ信号は圧縮装置のソース及び制御の両者として使用され、前記圧縮装置は前記オーディオ信号の高振幅部分を減衰させ、前記オーディオ信号の低振幅部分を増幅することによって前記オーディオ信号を圧縮するオーディオ信号の処理回路。
【請求項２３】
可聴の低音に対応するオーディオ信号の低周波数部分の振幅を減少させ、可聴の高音に対応する前記オーディオ信号の高周波数部分の振幅を増加させることによって受信されたオーディオ信号を等化する等化回路と、
前記等価されたオーディオ信号の低振幅部分に関して前記等価されたオーディオ信号の高振幅部分を減衰させることによって前記等価されたオーディオ信号のダイナミック範囲を圧縮する圧縮回路と、
前記圧縮され等化されたオーディオ信号の前記低周波数部分の振幅を増加させ、前記圧縮され等化されたオーディオ信号の前記高周波数部分の振幅を減少させることによって前記圧縮され等化されたオーディオ信号を等価するミラー画像等化回路とを具備している高雑音環境における強化された品質の音響を提供するための電気的オーディオ信号処理装置。
【請求項２４】
さらに、ミラー画像等化回路の出力に応答するスピーカシステムを具備している請求項２３記載の装置。
【請求項２５】
前記高雑音環境は約８０ｄＢを超える平均雑音フロアを有し、前記圧縮回路は前記等価されたオーディオ信号のダイナミック範囲を約１０ｄＢ未満に圧縮することができる請求項２３記載の装置。
【請求項２６】
前記等化回路は１００Ｈｚで約１０ｄＢ前記低周波数信号部分の振幅を減少させ、８ｋＨｚで約８ｄＢ前記高周波数信号部分を増加させる請求項２３記載の装置。
【請求項２７】
等化回路は信号周波数の実質的に線形の関数として振幅を減少させる請求項２３記載の装置。
【請求項２８】
前記ミラー画像等価回路は１００Ｈｚで約１０ｄＢ前記低周波数信号部分の振幅を増加させ、８ｋＨｚで約８ｄＢ前記高周波数信号部分の振幅を減少させる請求項２３記載の装置。
【請求項２９】
前記ミラー画像等価装置は信号周波数の実質的に線形の関数として振幅を増加させる請求項２３記載の装置。
【請求項３０】
前記スピーカシステムはそれぞれ約１０ｏｚ未満の磁石重量を有する小型のスピーカ磁石を有するスピーカから構成されている請求項２４記載の装置。